(57)【特許請求の範囲】
【請求項１】
無線通信ネットワークにおいて移動性管理をサポートするための方法において、
マクロセルのカバーレッジ内のホームセルを含むマクロセルの隣接ホームセルの情報と、ホームセルの隣接ホームセルの情報と含む、予め構築された隣接関係情報テーブルにおける任意一つのセルの隣接ホームセルの各々の切替優先度を、セル再選択と切替の統計情報に基づいて保守することと、
上記切替優先度と端末が所属するＣＳＧの情報とに基づいて、セル検索、再選択及び切替プロセスを実行するように上記端末を制御することと、
を含み、
第１マクロセルの隣接ホームセルの全部、又は排列された上記第１マクロセルの隣接ホームセルから前後順で選択された一部のホームセルの情報を、第１マクロ基地局が、エアインタフェース資源情況及び／又は第１端末の隣接セルポリシ配置に基づいて、上記第１端末に送信し、
上記送信において、
ネットワーク側は、空き状態にある上記第１端末をページングし、上記第１端末とのコネクションを確立し、上記全部又は一部のホームセルの情報を上記コネクションを介して送信すること、又は、
ネットワーク側は、上記第１端末にセルの切替又は再選択の発生を待ち、上記第１端末にセルの切替又は再選択発生時に、上記全部又は一部のホームセルの情報を、上記第１端末が現在確立しているコネクションを介して送信すること、
を含み、
空き状態にある上記第１端末は、更に排列の前後順に従って、ネットワーク側から送信された上記全部又は一部のホームセルのうち、排列が前にあるものに対して、セルの検索と測定を優先的に行い、測定結果に基づいてセルの再選択を行うことを特徴とする方法。
【請求項２】
上記隣接ホームセルの各々の切替優先度をセル再選択と切替の統計情報に基づいて保守することにおいて、
所定の第１時間内における、上記任意一つのセルから上記隣接ホームセルの各々への切替と再選択に成功した回数を判断し、上記回数に基づいて、上記回数の多い隣接ホームセルの切替優先度が、上記回数の少ない隣接ホームセルの切替優先度より高くなるように、上記隣接ホームセルの各々の切替優先度を設定すること、
を含むことを特徴とする請求項１に記載の方法。
【請求項３】
上記隣接ホームセルの各々の切替優先度をセル再選択と切替の統計情報に基づいて保守することにおいて、更に、
所定の第１時間内における、上記任意一つのセルから上記隣接ホームセルの各々への切替の失敗があったかを判断し、失敗があった場合、上記隣接ホームセルの各々の切替優先度を、所定のポリシーに従って下げること、
を含むことを特徴とする請求項２に記載の方法。
【請求項４】
上記隣接関係情報テーブルの構築において、
ホーム基地局から報告された該ホーム基地局対応のホームセルの情報、該ホーム基地局の隣接ホームセルの情報及び該ホーム基地局が所在するマクロセルの情報を受信することと、
各ホーム基地局から報告された該ホーム基地局対応のホームセルの情報、該ホーム基地局の隣接ホームセルの情報及び該ホーム基地局が所在するマクロセルの情報に基づいて、隣接関係情報テーブルを構築し保守することと、
を含むことを特徴とする請求項１に記載の方法。
【請求項５】
上記の該ホーム基地局対応のホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含み、
上記ホーム基地局の隣接ホームセルの情報は、ＰＣＩ、Ｅ‐ＣＧＩ、周波数点情報及びＴＡＩのうちの一部又はすべてを含み、
上記の該ホーム基地局が所在するマクロセルの情報は、ＰＣＩ、Ｅ‐ＣＧＩ、周波数点情報及びＴＡＩのうちの一部又はすべてを含み、
上記の該マクロセルの隣接ホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含み、
上記ホームセルの隣接ホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含むことを特徴とする請求項４に記載の方法。
【請求項６】
上記隣接関係情報テーブル及び上記切替優先度の情報は、ネットワーク側のネットワークノードに格納されており、
更に、上記ネットワークノードは、上記端末が現在所在するセルの隣接セルの情報、上記端末が現在所在する第１セルの隣接セルの切替優先度の情報、及び上記端末が所属するＣＳＧの情報に基づいて、上記セル検索、再選択及び切替プロセスを実行するように上記端末を制御することを特徴とする請求項４に記載の方法。
【請求項７】
上記セル検索、再選択及び切替プロセスを実行するように上記端末を制御することにおいて、
各隣接ホームセルが切替優先度の高い順で排列された上記ＣＳＧのホームセル、オープン／ハイブリッドモードの非上記ＣＳＧホームセル、及びクローズドモードの非上記ＣＳＧホームセルの前後順に従って、第１セルの隣接ホームセルを排列することと、
上記ネットワークノードは、上記第１セルの隣接ホームセルのうち排列が前にあるセルに対して上記セル検索、再選択及び切替プロセスを優先的に実行するように上記端末を制御することと、
を含むことを特徴とする請求項６に記載の方法。
【請求項８】
上記セル検索、再選択及び切替プロセスを実行するように上記端末を制御することにおいて、更に、
上記ネットワークノードは、上記端末の移動速度が所定の第１閾値より高いと上記端末の移動性状態により示される場合、排列の前後順に従って、上記第１セルの隣接マクロセルが上記第１セルの隣接ホームセルの前に排列する上記第１セルの隣接セルのうち、排列が前にあるセルに対して、上記セル検索、再選択及び切替プロセスを、優先的に実行するように上記端末を制御すること、
を含むことを特徴とする請求項７に記載の方法。
【請求項９】
上記隣接関係情報テーブル及び上記切替優先度の情報は、ネットワーク側のネットワークノードに格納されており、
上記ネットワークノードは、上記第１ホームセルの隣接ホームセル及び上記第１ホームセルに対応する第１室内基地局が所在するマクロセルを含む第１ホームセルの隣接セルの情報を、上記隣接関係情報テーブルから選択し、上記第１ホームセルの隣接セルの情報及び上記第１ホームセルの隣接セルの切替優先度の情報を、上記第１ホーム基地局に送信し、
更に、上記第１ホーム基地局は、上記第１ホームセルの隣接セルの情報、上記第１ホームセルの隣接セルの切替優先度の情報及び上記第１ホームセルに進入する第１端末が所属する第１ＣＳＧの情報に基づいて、上記セル検索、再選択及び切替プロセスを実行するように上記第１端末を制御することを特徴とする請求項４に記載の方法。
【請求項１０】
上記隣接関係情報テーブル及び上記切替優先度の情報は、ネットワーク側のネットワークノードに格納されており、
上記ネットワークノードは、上記第１マクロセルの隣接ホームセルを含む第１マクロセルの隣接セルの情報を、上記隣接関係情報テーブルから選択し、上記第１マクロセルの隣接セルの情報及び上記第１マクロセルの隣接セルの切替優先度の情報を、上記第１マクロセルに対応する第１マクロ基地局に送信し、
更に、上記第１マクロ基地局は、上記第１マクロセルの隣接セルの情報、上記第１マクロセルの隣接セルの切替優先度の情報及び上記第１マクロセルに進入する第１端末が所属する第１ＣＳＧの情報に基づいて、上記セル検索、再選択及び切替プロセスを実行するように上記第１端末を制御することを特徴とする請求項４に記載の方法。
【請求項１１】
上記セル検索、再選択及び切替プロセスを実行するように上記第１端末を制御することにおいて、
上記第１端末が第１マクロセルのカバーレッジに進入した後、第１マクロ基地局は、予め取得した上記第１端末が所属する第１ＣＳＧの情報及び該第１マクロセルの各隣接ホームセルの切替優先度に基づいて、第１マクロセルの隣接ホームセルを排列することと、
各隣接ホームセルが切替優先度の高い順で排列された上記第１ＣＳＧのホームセル、オープン／ハイブリッドモードの非上記第１ＣＳＧホームセル、及びクローズドモードの非上記第１ＣＳＧホームセルの前後順に従って、第１マクロセルの隣接ホームセルを排列することと、
を含むことを特徴とする請求項１０に記載の方法。
【請求項１２】
上記第１マクロセルの隣接セルは、上記第１マクロセルの隣接マクロセルを更に含み、
上記第１マクロ基地局は、更に、上記第１端末の移動速度が所定の第１閾値より高いと上記第１端末の移動性状態により示される場合、上記全部又は一部のホームセルの情報を送信するとき、更に、上記全部又は一部のホームセルの前に排列されている上記第１マクロセルの隣接マクロセルの情報を上記第１端末に送信し、
上記第１端末は、更に排列の前後順に従って、ネットワーク側から送信された上記第１マクロセルの隣接マクロセルの情報及び上記全部又は一部のホームセルのうち、排列が前にあるものに対して、セルの検索と測定を優先的に行い、測定結果に基づいてセルの再選択を行うことを特徴とする請求項１に記載の方法。
【請求項１３】
上記第１端末がコネクション状態にあり且つセルの切替が必要の場合、上記第１マクロ基地局は、更に、排列の前後順に従って、上記第１マクロセルの隣接ホームセルのうち排列が前にあるものに対して優先的に測定して、測定結果に基づいてセルの切替を実行するように上記端末を制御することを特徴とする請求項１に記載の方法。
【請求項１４】
上記第１マクロセルの隣接セルは、上記第１マクロセルの隣接マクロセルを更に含み、
上記第１マクロ基地局は、更に、上記第１端末の移動速度が所定の第１閾値より高いと上記第１端末の移動性状態により示され、且つ上記第１端末がコネクション状態にあり且つセルの切替が必要の場合、排列の前後順に従って上記第１マクロセルの隣接ホームセルの前に排列される上記第１マクロセルの隣接マクロセル及び隣接ホームセルのうち排列が前にあるものに対して優先的に測定して、測定結果に基づいてセルの切替を実行するように上記端末を制御することを特徴とする請求項１３に記載の方法。
【請求項１５】
更に、セルのタイプに応じて上記第１端末の移動性状態を保守することを含み、
セルのタイプに応じて上記第１端末の移動性状態を保守することにおいて、具体的に、
上記第１端末が所定の第２時間内に発生したセル再選択と切替の回数を統計することと、
上記第１端末が上記所定の第２時間内に発生したマクロセルとホームセル間のセル再選択と切替の回数と、ホームセル間のセル再選択と切替の回数との和に、所定のウェイト（０＜ウェイト＜１）を乗じた積を取得することと、
上記第１端末が上記所定の第２時間内に発生したマクロセル間のセル再選択と切替の回数に上記積を加算した和を取得することと、
上記和の値と複数の所定閾値との間の大きさに基づいて、上記第１端末の移動性状態を確定するようにすることと、を含むことを特徴とする請求項１２又は請求項１４に記載の方法。
【請求項１６】
上記セル切替又は再選択プロセスを実行しているとき、上記第１マクロセルは、更に、上記ネットワークノードから送信された上記全部又は一部のホームセルの情報に含まれるものであって、少なくともＣＳＧ  ＩＤとアクセスモードとを含むターゲットホームセルの情報を利用して、セルの切替を実行することを特徴とする請求項１５に記載の方法。
【請求項１７】
無線通信ネットワークにおいて移動性管理をサポートするためのネットワークノードにおいて、
マクロセルのカバーレッジ内のホームセルを含むマクロセルの隣接ホームセルの情報と、ホームセルの隣接ホームセルの情報と含む、予め構築された隣接関係情報テーブルにおける任意一つのセルの隣接ホームセルの各々の切替優先度を、セル再選択と切替の統計情報に基づいて保守する切替優先度保守ユニットと、
上記切替優先度と端末が所属するＣＳＧの情報とに基づいて、セル検索、再選択及び切替プロセスを実行するように上記端末を制御する最適処理ユニットと、
を備え、
第１マクロセルの隣接ホームセルの全部、又は排列された上記第１マクロセルの隣接ホームセルから前後順で選択された一部のホームセルの情報を、第１マクロ基地局が、エアインタフェース資源情況及び／又は第１端末の隣接セルポリシ配置に基づいて、上記第１端末に送信し、
上記送信において、
ネットワーク側は、空き状態にある上記第１端末をページングし、上記第１端末とのコネクションを確立し、上記全部又は一部のホームセルの情報を上記コネクションを介して送信すること、又は、
ネットワーク側は、上記第１端末にセルの切替又は再選択の発生を待ち、上記第１端末にセルの切替又は再選択発生時に、上記全部又は一部のホームセルの情報を、上記第１端末が現在確立しているコネクションを介して送信すること、
を含み、
空き状態にある上記第１端末は、更に排列の前後順に従って、ネットワーク側から送信された上記全部又は一部のホームセルのうち、排列が前にあるものに対して、セルの検索と測定を優先的に行い、測定結果に基づいてセルの再選択を行うことを特徴とするネットワークノード。
【請求項１８】
上記切替優先度保守ユニットは、
所定の第１時間内における、上記任意一つのセルから上記隣接ホームセルの各々への切替と再選択に成功した回数を判断し、上記回数に基づいて、上記回数の多い隣接ホームセルの切替優先度が、上記回数の少ない隣接ホームセルの切替優先度より高くなるように、上記隣接ホームセルの各々の切替優先度を設定することを特徴とする請求項１７に記載のネットワークノード。
【請求項１９】
上記切替優先度保守ユニットは、更に、
所定の第１時間内における、上記任意一つのセルから上記隣接ホームセルの各々への切替の失敗があったかを判断し、失敗があった場合、上記隣接ホームセルの各々の切替優先度を、所定のポリシーに従って下げることを特徴とする請求項１８に記載のネットワークノード。
【請求項２０】
ホーム基地局から報告された該ホーム基地局対応のホームセルの情報、該ホーム基地局の隣接ホームセルの情報及び該ホーム基地局が所在するマクロセルの情報を受信し、各ホーム基地局から報告された該ホーム基地局対応のホームセルの情報、該ホーム基地局の隣接ホームセルの情報及び該ホーム基地局が所在するマクロセルの情報に基づいて、隣接関係情報テーブルを構築し保守する隣接関係保守ユニットを備えることを特徴とする請求項１７に記載のネットワークノード。
【請求項２１】
上記の該ホーム基地局対応のホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含み、
上記の該ホーム基地局の隣接ホームセルの情報は、ＰＣＩ、Ｅ‐ＣＧＩ、周波数点情報及びＴＡＩのうちの一部又はすべてを含み、
上記の該ホーム基地局が所在するマクロセルの情報は、ＰＣＩ、Ｅ‐ＣＧＩ、周波数点情報及びＴＡＩのうちの一部又はすべてを含み、
上記マクロセルの隣接ホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含み、
上記ホームセルの隣接ホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含むことを特徴とする請求項２０に記載のネットワークノード。
【請求項２２】
上記最適処理ユニットは、
各隣接ホームセルが切替優先度の高い順で排列された上記ＣＳＧのホームセル、オープン／ハイブリッドモードの非上記ＣＳＧホームセル、及びクローズドモードの非上記ＣＳＧホームセルの前後順に従って、上記端末が現在所在する第１セルの隣接ホームセルを排列し、
上記第１セルの隣接ホームセルのうち排列が前にあるセルに対して、上記セル検索、再選択及び切替プロセスを優先的に実行するように上記端末を制御することを特徴とする請求項２０に記載のネットワークノード。
【請求項２３】
上記最適処理ユニットは、
上記端末の移動速度が所定の第１閾値より高いと上記端末の移動性状態により示される場合、排列の前後順に従って、上記第１セルの隣接マクロセルが上記第１セルの隣接ホームセルの前に排列する上記第１セルの隣接セルのうち、排列が前にあるセルに対して、上記セル検索、再選択及び切替プロセスを、優先的に実行するように上記端末を制御することを特徴とする請求項２２に記載のネットワークノード。
【請求項２４】
上記端末が所定の第２時間内に発生したセル再選択と切替の回数を統計し、上記端末が上記所定の第２時間内に発生したマクロセルとホームセル間のセル再選択と切替の回数と、ホームセル間のセル再選択/切替の回数との和に、所定のウェイト（０＜ウェイト＜１）を乗じた積を取得し、上記端末が上記所定の第２時間内に発生したマクロセル間のセル再選択と切替の回数に上記積を加算した和を取得し、上記和と複数の所定閾値との間の大きさに基づいて、上記端末の移動性状態を確定する移動性状態保守ユニットを更に備えることを特徴とする請求項２３に記載のネットワークノード。
【請求項２５】
第１端末が上記第１ホームセルのカバーレッジに進入した後、上記第１ホームセルの隣接ホームセル及び上記第１ホームセルに対応する第１ホーム基地局が所在するマクロセルを含む第１ホームセルの隣接セルの情報を、上記ネットワークノードが上記隣接関係情報テーブルから選択し、上記第１ホームセルの隣接セルの情報及び上記第１ホームセルの隣接セルの切替優先度の情報を、第１ホーム基地局に送信する第１配信ユニットを更に備えることを特徴とする請求項２０に記載のネットワークノード。
【請求項２６】
第１端末が上記第１マクロセルのカバーレッジに進入した後、上記第１マクロセルの隣接ホームセルを含む第１マクロセルの隣接セルの情報を、上記ネットワークノードが上記隣接関係情報テーブルから選択し、上記第１マクロセルの隣接セルの情報及び上記第１マクロセルの隣接セルの切替優先度の情報を、上記第１マクロセルに対応する第１マクロ基地局に送信する第２配信ユニットを更に備えることを特徴とする請求項２０に記載のネットワークノード。
【発明の詳細な説明】
【技術分野】
【０００１】
本発明は、無線通信ネットワークの技術分野に関し、特に、無線通信ネットワークにおいて移動性管理をサポートするための方法及び設備に関する。
【背景技術】
【０００２】
３ＧＰＰの長期進化システムは、非常に見込みのある移動通信システムであり、伝統的なＵＭＴＳ（Universal  Mobile  Telecommunications  System）ネットワークを源とし、より高い無線アクセス速度及びより優れたサービスサポートを提供できる。図１は、ＬＴＥネットワークのアーキテクチャーを示す図面である。ＬＴＥネットワークにおいて、移動性管理実体ＭＭＥ（Mobility  Management  Entity）は、Ｓ１インタフェースを介して基地局に接続される。ホーム基地局ＨeＮＢ（Home  eNode  B）は、直接にＭＭＥに接続できるし、ホーム基地局ゲートウェイＨｅＮＢ  ＧＷ（ＨｅＮＢ  Gateway）を介してＭＭＥに接続することもできる。ＬＴＥシステムにおいて、ＨｅＮＢに対してクローズド加入者グループＣＳＧ（Closed  Subscriber  Group）という概念が導入される。ＣＳＧの許可制御を採用することにより、特定の端末ＵＥ（User  Equipment）のみが対応するＨｅＮＢにアクセスできる。ＵＭＴＳシステムのホーム基地局ＨＮＢ（Home  NodeB）も、類似な機能を有する。
【０００３】
ＵＭＴＳ、ＬＴＥ、ＬＴＥ−Ａシステムにおいて、ＨＮＢ／ＨｅＮＢと他のタイプの基地局（例えばマクロ基地局（macro  ｅＮＢ）、ミクロ基地局（micro  ｅＮＢ）、ピコ基地局（pico  ｅＮＢ）、中継ノード（relay  node））との間の移動性管理は、非常に重要な技術点であり、ＨＮＢ／ＨｅＮＢが移動サービスをより効果的にサポートして、ユーザの需要を満足して、プロバイダーの競争力を向上することに関係している。図２には、マクロセルからホームセルへの切替シーンと、ホーム基地局間の切替シーンとの二種類の主なホーム基地局切替シーンが示されている。
【発明の概要】
【発明が解決しようとする課題】
【０００４】
本発明は、ホーム基地局の移動性管理問題の解決に効果的にサポートできた、無線通信ネットワークにおいて移動性管理をサポートするための方法及び設備を提供することを、解決しようとする技術課題としている。
【課題を解決するための手段】
【０００５】
上記技術課題を解決するために、本発明は、次の技術案を提供する。
無線通信ネットワークにおいて移動性管理をサポートするための方法において、マクロセルのカバーレッジ内のホームセルを含むマクロセルの隣接ホームセルの情報と、ホームセルの隣接ホームセルの情報と含む、予め構築された隣接関係情報テーブルにおける任意一つのセルの隣接ホームセルの各々の切替優先度を、セル再選択と切替の統計情報に基づいて保守することと、上記切替優先度と端末が所属するＣＳＧの情報とに基づいて、セル検索、再選択及び切替プロセスを実行するように上記端末を制御することと、を含む。
【０００６】
好ましくは、上記方法において、上記隣接ホームセルの各々の切替優先度をセル再選択と切替の統計情報に基づいて保守することにおいて、所定の第１時間内における、上記任意一つのセルから上記隣接ホームセルの各々への切替と再選択に成功した回数を判断し、上記回数に基づいて、上記回数の多い隣接ホームセルの切替優先度が、上記回数の少ない隣接ホームセルの切替優先度より高くなるように、上記隣接ホームセルの各々の切替優先度を設定すること、を含む。
【０００７】
好ましくは、上記方法において、上記隣接ホームセルの各々の切替優先度をセル再選択と切替の統計情報に基づいて保守することにおいて、更に、所定の第１時間内における、上記任意一つのセルから上記隣接ホームセルの各々への切替の失敗があったかを判断し、失敗があった場合、上記隣接ホームセルの各々の切替優先度を、所定のポリシーに従って下げること、を含む。
【０００８】
好ましくは、上記方法において、上記隣接関係情報テーブルの構築において、ホーム基地局から報告された該ホーム基地局対応のホームセルの情報、該ホーム基地局の隣接ホームセルの情報及び該ホーム基地局が所在するマクロセルの情報を受信することと、各ホーム基地局から報告された該ホーム基地局対応のホームセルの情報、該ホーム基地局の隣接ホームセルの情報及び該ホーム基地局が所在するマクロセルの情報に基づいて、隣接関係情報テーブルを構築し保守することと、を含む。
【０００９】
好ましくは、上記方法において、上記の該ホーム基地局対応のホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含み、上記ホーム基地局の隣接ホームセルの情報は、ＰＣＩ、Ｅ‐ＣＧＩ、周波数点情報及びＴＡＩのうちの一部又はすべてを含み、上記の該ホーム基地局が所在するマクロセルの情報は、ＰＣＩ、Ｅ‐ＣＧＩ、周波数点情報及びＴＡＩのうちの一部又はすべてを含み、上記の該マクロセルの隣接ホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含み、上記ホームセルの隣接ホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含む。
【００１０】
好ましくは、上記方法において、上記隣接関係情報テーブル及び上記切替優先度の情報は、ネットワーク側のネットワークノードに格納されており、更に、上記ネットワークノードは、上記端末が現在所在するセルの隣接セルの情報、上記端末が現在所在する第１セルの隣接セルの切替優先度の情報、及び上記端末が所属するＣＳＧの情報に基づいて、上記セル検索、再選択及び切替プロセスを実行するように上記端末を制御する。
【００１１】
好ましくは、上記方法において、上記セル検索、再選択及び切替プロセスを実行するように上記端末を制御することにおいて、各隣接ホームセルが切替優先度の高い順で排列された上記ＣＳＧのホームセル、オープン／ハイブリッドモードの非上記ＣＳＧホームセル、及びクローズドモードの非上記ＣＳＧホームセルの前後順に従って、第１セルの隣接ホームセルを排列することと、上記ネットワークノードは、上記第１セルの隣接ホームセルのうち排列が前にあるセルに対して上記セル検索、再選択及び切替プロセスを優先的に実行するように上記端末を制御することと、を含む。
【００１２】
好ましくは、上記方法において、上記セル検索、再選択及び切替プロセスを実行するように上記端末を制御することにおいて、更に、上記ネットワークノードは、上記端末の移動速度が所定の第１閾値より高いと上記端末の移動性状態により示される場合、排列の前後順に従って、上記第１セルの隣接マクロセルが上記第１セルの隣接ホームセルの前に排列する上記第１セルの隣接セルのうち、排列が前にあるセルに対して、上記セル検索、再選択及び切替プロセスを、優先的に実行するように上記端末を制御すること、を含む。
【００１３】
好ましくは、上記方法において、上記隣接関係情報テーブル及び上記切替優先度の情報は、ネットワーク側のネットワークノードに格納されており、上記ネットワークノードは、上記第１ホームセルの隣接ホームセル及び上記第１ホームセルに対応する第１室内基地局が所在するマクロセルを含む第１ホームセルの隣接セルの情報を、上記隣接関係情報テーブルから選択し、上記第１ホームセルの隣接セルの情報及び上記第１ホームセルの隣接セルの切替優先度の情報を、上記第１ホーム基地局に送信し、更に、上記第１ホーム基地局は、上記第１ホームセルの隣接セルの情報、上記第１ホームセルの隣接セルの切替優先度の情報及び上記第１ホームセルに進入する第１端末が所属する第１ＣＳＧの情報に基づいて、上記セル検索、再選択及び切替プロセスを実行するように上記第１端末を制御する。
【００１４】
好ましくは、上記方法において、上記隣接関係情報テーブル及び上記切替優先度の情報は、ネットワーク側のネットワークノードに格納されており、上記ネットワークノードは、上記第１マクロセルの隣接ホームセルを含む第１マクロセルの隣接セルの情報を、上記隣接関係情報テーブルから選択し、上記第１マクロセルの隣接セルの情報及び上記第１マクロセルの隣接セルの切替優先度の情報を、上記第１マクロセルに対応する第１マクロ基地局に送信し、更に、上記第１マクロ基地局は、上記第１マクロセルの隣接セルの情報、上記第１マクロセルの隣接セルの切替優先度の情報及び上記第１マクロセルに進入する第１端末が所属する第１ＣＳＧの情報に基づいて、上記セル検索、再選択及び切替プロセスを実行するように上記第１端末を制御する。
【００１５】
好ましくは、上記方法において、上記セル検索、再選択及び切替プロセスを実行するように上記第１端末を制御することにおいて、上記第１端末が第１マクロセルのカバーレッジに進入した後、第１マクロ基地局は、予め取得した上記第１端末が所属する第１ＣＳＧの情報及び該第１マクロセルの各隣接ホームセルの切替優先度に基づいて、第１マクロセルの隣接ホームセルを排列することと、各隣接ホームセルが切替優先度の高い順で排列された上記第１ＣＳＧのホームセル、オープン／ハイブリッドモードの非上記第１ＣＳＧホームセル、及びクローズドモードの非上記第１ＣＳＧホームセルの前後順に従って、第１マクロセルの隣接ホームセルを排列することと、を含む。
【００１６】
好ましくは、上記方法において、上記第１マクロセルの隣接ホームセルの全部、又は排列された上記第１マクロセルの隣接ホームセルから前後順で選択された一部のホームセルの情報を、第１マクロ基地局が、エアインタフェース資源情況及び／又は上記第１端末の隣接セルポリシ配置に基づいて、上記第１端末に送信する。
【００１７】
好ましくは、上記方法において、上記送信において、ネットワーク側は、空き状態にある上記第１端末をページングし、上記第１端末とのコネクションを確立し、上記全部又は一部のホームセルの情報を上記コネクションを介して送信すること、又は、ネットワーク側は、上記第１端末にセルの切替又は再選択の発生を待ち、上記第１端末にセルの切替又は再選択発生時に、上記全部又は一部のホームセルの情報を、上記第１端末が現在確立しているコネクションを介して送信すること、を含む。
【００１８】
好ましくは、上記方法において、空き状態にある上記第１端末は、更に排列の前後順に従って、ネットワーク側から送信された上記全部又は一部のホームセルのうち、排列が前にあるものに対して、セルの検索と測定を優先的に行い、測定結果に基づいてセルの再選択を行う。
【００１９】
好ましくは、上記方法において、上記第１マクロセルの隣接セルは、上記第１マクロセルの隣接マクロセルを更に含み、上記第１マクロ基地局は、更に、上記第１端末の移動速度が所定の第１閾値より高いと上記第１端末の移動性状態により示される場合、上記全部又は一部のホームセルの情報を送信するとき、更に、上記全部又は一部のホームセルの前に排列されている上記第１マクロセルの隣接マクロセルの情報を上記第１端末に送信し、上記第１端末は、更に排列の前後順に従って、ネットワーク側から送信された上記第１マクロセルの隣接マクロセルの情報及び上記全部又は一部のホームセルのうち、排列が前にあるものに対して、セルの検索と測定を優先的に行い、測定結果に基づいてセルの再選択を行う。
【００２０】
好ましくは、上記方法において、上記第１端末がコネクション状態にあり且つセルの切替が必要の場合、上記第１マクロ基地局は、更に、排列の前後順に従って、上記第１マクロセルの隣接ホームセルのうち排列が前にあるものに対して優先的に測定して、測定結果に基づいてセルの切替を実行するように上記端末を制御する。
【００２１】
好ましくは、上記方法において、上記第１マクロセルの隣接セルは、上記第１マクロセルの隣接マクロセルを更に含み、上記第１マクロ基地局は、更に、上記第１端末の移動速度が所定の第１閾値より高いと上記第１端末の移動性状態により示され、且つ上記第１端末がコネクション状態にあり且つセルの切替が必要の場合、排列の前後順に従って上記第１マクロセルの隣接ホームセルの前に排列される上記第１マクロセルの隣接マクロセル及び隣接ホームセルのうち排列が前にあるものに対して優先的に測定して、測定結果に基づいてセルの切替を実行するように上記端末を制御する。
【００２２】
好ましくは、上記方法において、更に、セルのタイプに応じて上記第１端末の移動性状態を保守することを含み、セルのタイプに応じて上記第１端末の移動性状態を保守することにおいて、具体的に、上記第１端末が所定の第２時間内に発生したセル再選択と切替の回数を統計することと、上記第１端末が上記所定の第２時間内に発生したマクロセルとホームセル間のセル再選択と切替の回数と、ホームセル間のセル再選択と切替の回数との和に、所定のウェイト（０＜ウェイト＜１）を乗じた積を取得することと、上記第１端末が上記所定の第２時間内に発生したマクロセル間のセル再選択と切替の回数に上記積を加算した和を取得することと、上記和の値と複数の所定閾値との間の大きさに基づいて、上記第１端末の移動性状態を確定するようにすることと、を含む。
【００２３】
好ましくは、上記方法において、上記セル切替又は再選択プロセスを実行しているとき、上記第１マクロセルは、更に、上記ネットワークノードから送信された上記全部又は一部のホームセルの情報に含まれるものであって、少なくともＣＳＧ  ＩＤとアクセスモードとを含むターゲットホームセルの情報を利用して、セルの切替を実行する。
【００２４】
本発明は、更に、無線通信ネットワークにおいて移動性管理をサポートするためのネットワークノードを提供する。該ネットワークノードにおいて、マクロセルのカバーレッジ内のホームセルを含むマクロセルの隣接ホームセルの情報と、ホームセルの隣接ホームセルの情報と含む、予め構築された隣接関係情報テーブルにおける任意一つのセルの隣接ホームセルの各々の切替優先度を、セル再選択と切替の統計情報に基づいて保守する切替優先度保守ユニットと、上記切替優先度と端末が所属するＣＳＧの情報とに基づいて、セル検索、再選択及び切替プロセスを実行するように上記端末を制御する最適処理ユニットと、を備える。
【００２５】
好ましくは、上記ネットワークノードにおいて、上記切替優先度保守ユニットは、所定の第１時間内における、上記任意一つのセルから上記隣接ホームセルの各々への切替と再選択に成功した回数を判断し、上記回数に基づいて、上記回数の多い隣接ホームセルの切替優先度が、上記回数の少ない隣接ホームセルの切替優先度より高くなるように、上記隣接ホームセルの各々の切替優先度を設定する。
【００２６】
好ましくは、上記ネットワークノードにおいて、上記切替優先度保守ユニットは、更に、所定の第１時間内における、上記任意一つのセルから上記隣接ホームセルの各々への切替の失敗があったかを判断し、失敗があった場合、上記隣接ホームセルの各々の切替優先度を、所定のポリシーに従って下げる。
【００２７】
好ましくは、上記ネットワークノードにおいて、ホーム基地局から報告された該ホーム基地局対応のホームセルの情報、該ホーム基地局の隣接ホームセルの情報及び該ホーム基地局が所在するマクロセルの情報を受信し、各ホーム基地局から報告された該ホーム基地局対応のホームセルの情報、該ホーム基地局の隣接ホームセルの情報及び該ホーム基地局が所在するマクロセルの情報に基づいて、隣接関係情報テーブルを構築し保守する隣接関係保守ユニットを備える。
【００２８】
好ましくは、上記ネットワークノードにおいて、上記の該ホーム基地局対応のホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含み、上記の該ホーム基地局の隣接ホームセルの情報は、ＰＣＩ、Ｅ‐ＣＧＩ、周波数点情報及びＴＡＩのうちの一部又はすべてを含み、上記の該ホーム基地局が所在するマクロセルの情報は、ＰＣＩ、Ｅ‐ＣＧＩ、周波数点情報及びＴＡＩのうちの一部又はすべてを含み、上記マクロセルの隣接ホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含み、上記ホームセルの隣接ホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含む。
【００２９】
好ましくは、上記ネットワークノードにおいて、上記最適処理ユニットは、各隣接ホームセルが切替優先度の高い順で排列された上記ＣＳＧのホームセル、オープン／ハイブリッドモードの非上記ＣＳＧホームセル、及びクローズドモードの非上記ＣＳＧホームセルの前後順に従って、上記端末が現在所在する第１セルの隣接ホームセルを排列し、上記第１セルの隣接ホームセルのうち排列が前にあるセルに対して、上記セル検索、再選択及び切替プロセスを優先的に実行するように上記端末を制御する。
【００３０】
好ましくは、上記ネットワークノードにおいて、上記最適処理ユニットは、上記端末の移動速度が所定の第１閾値より高いと上記端末の移動性状態により示される場合、排列の前後順に従って、上記第１セルの隣接マクロセルが上記第１セルの隣接ホームセルの前に排列する上記第１セルの隣接セルのうち、排列が前にあるセルに対して、上記セル検索、再選択及び切替プロセスを、優先的に実行するように上記端末を制御する。
【００３１】
好ましくは、上記ネットワークノードにおいて、上記端末が所定の第２時間内に発生したセル再選択と切替の回数を統計し、上記端末が上記所定の第２時間内に発生したマクロセルとホームセル間のセル再選択と切替の回数と、ホームセル間のセル再選択/切替の回数との和に、所定のウェイト（０＜ウェイト＜１）を乗じた積を取得し、上記端末が上記所定の第２時間内に発生したマクロセル間のセル再選択と切替の回数に上記積を加算した和を取得し、上記和と複数の所定閾値との間の大きさに基づいて、上記端末の移動性状態を確定する移動性状態保守ユニットを更に備える。
【００３２】
好ましくは、上記ネットワークノードにおいて、第１端末が上記第１ホームセルのカバーレッジに進入した後、上記第１ホームセルの隣接ホームセル及び上記第１ホームセルに対応する第１ホーム基地局が所在するマクロセルを含む第１ホームセルの隣接セルの情報を、上記ネットワークノードが上記隣接関係情報テーブルから選択し、上記第１ホームセルの隣接セルの情報及び上記第１ホームセルの隣接セルの切替優先度の情報を、第１ホーム基地局に送信する第１配信ユニットを更に備える。
【００３３】
好ましくは、上記ネットワークノードにおいて、第１端末が上記第１マクロセルのカバーレッジに進入した後、上記第１マクロセルの隣接ホームセルを含む第１マクロセルの隣接セルの情報を、上記ネットワークノードが上記隣接関係情報テーブルから選択し、上記第１マクロセルの隣接セルの情報及び上記第１マクロセルの隣接セルの切替優先度の情報を、上記第１マクロセルに対応する第１マクロ基地局に送信する第２配信ユニットを更に備える。
【発明の効果】
【００３４】
上記記載から分かるように、本発明による無線通信ネットワークにおいて移動性管理をサポートするための方法及び設備は、隣接関係情報テーブルを構築することにより、ホーム基地局に対して移動性管理をサポートしている。また、本発明において、関連する隣接ホームセルの情報を配信することにより、端末は、該情報に基づいてセルの検索と測定を最適化し、セル検索の効率を向上することができると共に、ネットワーク側も、該情報に基づいて、端末のセル切替を最適化して、セルの切替に要する時間を短縮することができる。
【図面の簡単な説明】
【００３５】
【図１】従来技術におけるＬＴＥネットワークのアーキテクチャーを示す。
【図２】従来技術における二種類の典型的な切替シーンを示す。
【図３】本発明の実施例による、移動性管理サポート方法の流れを示す。
【図４】本発明の実施例による、マクロセルとホームセルとの関係の一例を示す。
【図５】本発明の実施例による、無線通信ネットワークにおいて移動性管理をサポートするためのネットワークノードの構造図である。
【発明を実施するための形態】
【００３６】
本発明は、無線通信ネットワークにおいて移動性管理をサポートするための方法及び設備を提供し、ホーム基地局から報告された隣接セル情報に基づいて、隣接関係情報テーブルを構築して保守する。本発明は、上記隣接関係情報テーブルに基づいた、ＵＥのセル検索、セルの再選択測定及びセルの切替測定を最適化する具体的な実施例を更に提供する。以下、図面を参照しながら具体的な実施例を全体的に通して本発明を詳しく説明する。なお、本発明における方法及び装置は、ＵＭＴＳシステムとＬＴＥシステムに応用できるほか、ＬＴＥシステムの将来進化システムＬＴＥ−Ａにも応用することができる。
【００３７】
＜実施例１＞
本実施例は、移動性管理をサポートするための方法を提供し、該方法によれば、ネットワーク側が隣接ホーム基地局の関連情報を取得でき、ホーム基地局の移動性管理問題の解決を効果的にサポートしている。図３に示すように、本実施例による無線通信ネットワークにおいて移動性管理をサポートするための方法は、次のステップを含む。
【００３８】
ステップ３１において、ネットワークにおける各ホーム基地局は、該ホーム基地局に対応するホームセルの情報、該ホーム基地局の隣接ホームセルの情報及び該ホーム基地局が所在するマクロセルの情報を、ネットワークノードに報告する。
【００３９】
ここで、該ホーム基地局の隣接ホームセルとは、該ホーム基地局に対応するホームセルの隣接ホームセルである。該ホーム基地局が所在するマクロセルとは、該ホーム基地局が、該マクロセルのカバーレッジ内に位置することを指す。本発明において、上記の「隣接」とは、セル同士のカバーレッジに重なる部分があることを指し、上記の「該ホーム基地局の隣接ホームセル」と「該ホーム基地局が所在するマクロセル」とは、いずれも該ホーム基地局の隣接セルである。
【００４０】
ここで、上記ネットワークノードは、ＭＭＥ又はその他の機能的ノードである。
【００４１】
ここで、ホーム基地局は、その始動及び運行中に、自身の下り受信機を利用して走査をして隣接セルの情報を収集してもよいし、端末から自基地局に報告された測定報告を利用して隣接セルの情報を収集してもよく、それからネットワークノードに報告する。
【００４２】
ここで、上記該ホーム基地局に対応するホームセルの情報は、物理レイヤセル標識ＰＣＩ（Physical  Cell  Identifier）、セルグローバル識別コードＥ‐ＣＧＩ（E-UTRAN  Cell  Global  Identifier）、ＣＳＧ標識（ＣＳＧ−ＩＤ）、アクセスモード（Access  Mode）、ホーム基地局標識（ＨｅＮＢ  ＩＤ）及びトラッキングエリア標識ＴＡＩ（Tracking  Area  Identifier）のうちの一部又はすべてを含む。
【００４３】
上記該ホーム基地局の隣接ホームセルの情報は、ＰＣＩ、Ｅ‐ＣＧＩ、周波数点情報及びＴＡＩのうちの一部又はすべてを含む。
【００４４】
上記該ホーム基地局が所在するマクロセルの情報は、ＰＣＩ、Ｅ‐ＣＧＩ、周波数点情報及びＴＡＩのうちの一部又はすべてを含む。
【００４５】
ステップ３２において、ネットワークノードは、各ホーム基地局から報告された該ホーム基地局に対応するホームセルの情報、該ホーム基地局の隣接ホームセルの情報及び該ホーム基地局が所在するマクロセルの情報をまとめて、これに基づき隣接関係情報テーブルを構築して保守する。上記隣接関係情報テーブルは、マクロセルの隣接ホームセルの情報と、ホームセルの隣接ホームセルの情報と含む。上記マクロセルの隣接ホームセルは、上記マクロセルのカバーレッジ内のホームセルを含む。
【００４６】
ここで、上記マクロセルの隣接ホームセルの情報は、ＰＣＩ、Ｅ‐ＣＧＩ、ＣＳＧ−ＩＤ、アクセスモード、ＨｅＮＢ  ＩＤ及びＴＡＩなどを含む。上記ホームセルの隣接ホームセルの情報は、ＰＣＩ、Ｅ‐ＣＧＩ、ＣＳＧ−ＩＤ、アクセスモード、ＨｅＮＢ  ＩＤ及びＴＡＩなどを含む。
【００４７】
上記ステップ３２において、ネットワークノードは、各ホーム基地局から報告された該ホーム基地局に対応するホームセルの情報、該ホーム基地局の隣接ホームセルの情報及び該ホーム基地局が所在するマクロセルの情報をまとめて、各マクロセルのカバーレッジ内のすべてのホームセルを取得し、各ホーム基地局から報告された該ホーム基地局に対応するホームセルの詳細な情報に基づいて、各マクロセルのカバーレッジ内のすべてのホームセルの詳細な情報を構築する。該詳細な情報は、具体的に、ＰＣＩ、Ｅ‐ＣＧＩ、ＣＳＧ−ＩＤ、アクセスモード、ＨｅＮＢ  ＩＤ及びＴＡＩのうちの一部又はすべてを含む。各ホームセルの隣接ホームセルについても、類似な詳細な情報を構築する。
【００４８】
ステップ３３ａにおいて、選択的に行うこととして、ネットワークノードは、第１マクロセルの隣接セルの情報を上記隣接関係情報テーブルから選択して、上記第１マクロセルの隣接セルの情報を、上記第１マクロセルに対応する第１マクロ基地局に送信する。なお、第１マクロセルの隣接セルは、上記第１マクロセルの隣接ホームセルを含む。
【００４９】
ステップ３３ｂにおいて、選択的に行うこととして、ネットワークノードは、第１ホームセルの隣接セルの情報を上記隣接関係情報テーブルから選択して、上記第１ホームセルの隣接セルの情報を、上記第１ホームセルに対応する第１ホーム基地局に送信する。なお、第１ホームセルの隣接セルは、上記第１ホームセルの隣接ホームセル及び上記第１ホーム基地局が所在するマクロセルを含む。
【００５０】
上記記載から分かるように、本実施例によれば、ネットワークノードは、各セルの隣接ホームセルの詳細な情報を取得することができ、更に対応する隣接セルの詳細な情報をマクロ基地局／ホーム基地局に配信することができ、それによってホーム基地局の移動性管理に対してサポートを提供している。以下の実施例は、移動性管理をサポートするには該情報を如何に運用するかについて説明する。
【００５１】
＜実施例２＞
本実施例は、実施例１において構築した上記隣接関係情報テーブルを基に実施し、ネットワーク側が更に隣接関係情報テーブルにおける隣接ホームセルに対して切替優先度を設定し、この後の実施例においてこれに基づいて優先度の配列を行う。ここでいうネットワーク側は、実施例１におけるネットワークノードであってもよいし、マクロ基地局又はホーム基地局であってもよい。
【００５２】
上記隣接関係情報テーブルには、マクロセルの隣接ホームセルの情報とホームセルの隣接ホームセルの情報とを含む。上記隣接関係情報テーブルにおける任意一つのセル（マクロセルかホームセル）について、上記隣接関係情報テーブルには、該任意一つのセルのすべての隣接ホームセルの情報を含む。図４に示すように、一例として、マクロセル１について、その隣接ホームセルは、ホームセル１〜９である。ホームセル２について、その隣接ホームセルは、ホームセル１、３、４である。
【００５３】
本実施例において、上記隣接関係情報テーブルにおける任意一つのセルの各隣接ホームセルについて、所定の第１時間内における、上記任意一つのセルから上記隣接ホームセルの各々への切替に成功した回数をそれぞれ統計し、上記回数に基づいて、上記回数の多い隣接ホームセルの切替優先度が、上記回数の少ない隣接ホームセルの切替優先度より高くなるように、上記隣接ホームセルの各々の切替優先度を設定する。
【００５４】
例えば、所定の第１時間は、２時間とする。
マクロセル１の隣接ホームセル１について、該２時間内における、マクロセル１からホームセル１への切替に成功した回数を統計して、回数１を得る。
マクロセル１の隣接ホームセル２について、該２時間内における、マクロセル１からホームセル２への切替に成功した回数を統計して、回数２を得る。
マクロセル１の隣接ホームセル３について、該２時間内における、マクロセル１からホームセル３への切替に成功した回数を統計して、回数３を得る。
……
マクロセル１の隣接ホームセル９について、該２時間内における、マクロセル１からホームセル９への切替に成功した回数を統計して、回数９を得る。
上記回数１＞回数２＞回数３＞…＞回数８＞回数９とすると、マクロセル１の隣接出内セル１〜９について、それらの切替優先度も高いほうから下がる。具体的な切替優先度は、数字で示すことができる。
【００５５】
もちろん、複数の閾値を予め設定してもよい。高めの閾値を高めの切替優先度に対応させ、それから各隣接ホームセルの回数を上記複数の閾値と比較して、上記回数より小さい閾値から最大の閾値を探し出し、該最大の閾値に対応する切替優先度は、該隣接ホームセルの切替優先度となる。
【００５６】
本実施例において、上記回数に基づいて各隣接ホームセルの切替優先度を設定した後、ネットワークノードは、更に、上記所定の第１時間内において、該任意一つのセルから上記隣接ホームセルの各々への切替に失敗があったかを判断する。失敗があった場合、上記隣接ホームセルの各々の切替優先度を、所定のポリシーに従って下げる。上記所定のポリシーは、自分で設定できる。例えば、ある隣接ホームセルへの切替が失敗すると、該隣接ホームセルの切替優先度をワンランク下げ、又は該隣接ホームセルの切替優先度を最低の数値に設定し、又は該隣接ホームセルをセル切替のターゲットセルにすることを禁止する。
【００５７】
＜実施例３＞
本発明において、実施例２の切替優先度を基に、切替優先度に基づいて排列し、それから、セル検索及びセルの再選択のために行われた測定を最適化するために、空き状態にある端末に対して、ネットワーク側が隣接関係情報テーブルから排列が前にある隣接ホームセルを選択して端末に送信する必要がある。コネクション状態にある端末に対して、ネットワーク側は、隣接関係情報テーブル及び切替優先度に基づいて、隣接ホームセルのうち排列が前にあるセルに対して優先的に測定を行うように端末を制御する。
【００５８】
本発明において、上記ネットワークノード又は基地局（マクロ基地局かホーム基地局）によって、最適化されたセル検索、再選択及び切替プロセスを実行するように端末を制御することができる。本実施例では、ネットワークノードを例として説明する。
【００５９】
本実施例において、ネットワークノードには、上記隣接関係情報テーブル及び上記切替優先度の情報が格納されているため、ネットワークノードは、直接に、端末が現在所在するセルの隣接セルの情報、上記端末が現在所在する第１セルの隣接セルの切替優先度の情報、及び上記端末が所属するＣＳＧの情報に基づいて、上記セル検索、再選択及び切替プロセスを実行するように上記端末を制御できる。
【００６０】
ここで、上記セル検索、再選択及び切替プロセスを実行するように上記端末を制御することは、具体的に次のように行われる。
【００６１】
各隣接ホームセルが切替優先度の高い順で排列された上記ＣＳＧのホームセル、オープン／ハイブリッドモードの非上記ＣＳＧホームセル、及びクローズドモードの非上記ＣＳＧホームセルの前後順に従って、第１セルの隣接ホームセルを排列する。
【００６２】
上記ネットワークノードは、上記第１セルの隣接ホームセルのうち排列が前にあるセルに対して上記セル検索、再選択及び切替プロセスを優先的に実行するように上記端末を制御する。ここで、上記ネットワークノードは、上記端末の移動速度が所定の第１閾値より高いと上記端末の移動性状態により示される場合、排列の前後順に従って、上記第１セルの隣接セルのうち、排列が前にあるセルに対して上記セル検索、再選択及び切替プロセスを、優先的に実行するように上記端末を制御する。上記第１セルの隣接セルは、上記第１セルの隣接ホームセルと隣接マクロセルを含む。上記第１セルの隣接セルのうち、上記第１セルの隣接マクロセルは、上記第１セルの隣接ホームセルの前に排列する。
【００６３】
本実施例において、上記セル検索、再選択及び切替プロセスを実行するように上記端末を制御するに際して、更に、上記ネットワークノードは、上記端末の移動速度が所定の第１閾値より高いと上記端末の移動性状態により示される場合、排列の前後順に従って、上記第１セルの隣接セルのうち、排列が前にあるセルに対して上記セル検索、再選択及び切替プロセスを優先的に実行するように上記端末を制御する。上記第１セルの隣接セルのうち、上記第１セルの隣接マクロセルは、上記第１セルの隣接ホームセルの前に排列する。
【００６４】
＜実施例４＞
本実施例において、上記ネットワークノード又は基地局（マクロ基地局かホーム基地局）によって、最適化されたセル検索、再選択及び切替プロセスを実行するように端末を制御することができる。
【００６５】
本実施例において、最適化されたセル検索、再選択及び切替プロセスの実行を基地局によって端末を制御するとき、例えば第１ホームセルに対応する第１ホーム基地局が最適化されたセル検索、再選択及び切替プロセスを実行するとき、上記ネットワークノードは、第１ホームセルの隣接セルの情報を、上記隣接関係情報テーブルから選択し、上記第１ホームセルの隣接セルの情報及び上記第１ホームセルの隣接セルの切替優先度の情報を、第１ホーム基地局に送信する。上記第１ホームセルの隣接セルは、上記第１ホームセルの隣接ホームセル及び第１ホーム基地局が所在するマクロセルを含む。それから、上記第１ホーム基地局は、上記第１ホームセルの隣接セルの情報、上記第１ホームセルの隣接セルの切替優先度の情報及び上記第１ホームセルに所在する第１端末が所属する第１ＣＳＧの情報に基づいて、上記セル検索、再選択及び切替プロセスを実行するように上記第１端末を制御する。
【００６６】
本実施例において、最適化されたセル検索、再選択及び切替プロセスの実行を第１マクロセルに対応する第１マクロ基地局によって実行するとき、上記ネットワークノードは、第１マクロセルの隣接セルの情報を、上記隣接関係情報テーブルから選択し、上記第１マクロセルの隣接セルの情報及び上記第１マクロセルの隣接セルの切替優先度の情報を、第１マクロ基地局に送信する。第１マクロセルの隣接セルは、上記第１マクロセルの隣接ホームセルを含む。それから、上記第１マクロ基地局は、上記第１マクロセルの隣接セルの情報、上記第１マクロセルの隣接セルの切替優先度の情報及び上記第１マクロセルに所在する第１端末が所属する第１ＣＳＧの情報に基づいて、上記セル検索、再選択及び切替プロセスを実行するように上記第１端末を制御する。ここで、上記セル検索、再選択及び切替プロセスを実行するように上記第１端末を制御するのに際して、具体的に次のように行なわれる。
【００６７】
１）上記第１端末が第１マクロセルのカバーレッジに進入した後、第１マクロ基地局は、予め取得した上記第１端末が所属する第１ＣＳＧの情報及び該第１マクロセルの各隣接ホームセルの切替優先度に基づいて、第１マクロセルの隣接ホームセルを排列する。各隣接ホームセルが切替優先度の高い順で排列された上記第１ＣＳＧのホームセル、オープン／ハイブリッドモードの非上記第１ＣＳＧホームセル、及びクローズドモードの非上記第１ＣＳＧホームセルの前後順に従って、第１マクロセルの隣接ホームセルを排列する。
【００６８】
２）それから、上記第１マクロセルの隣接ホームセルの全部又は一部のホームセルの情報を、第１マクロ基地局は、エアインタフェース資源情況及び／又は上記第１端末の隣接セルポリシ配置に基づいて、上記第１端末に送信する。上記一部のホームセルは、排列された上記第１マクロセルの隣接ホームセルから前後順で選択されたものである。
【００６９】
ここで、上記送信に際して、ネットワーク側は、空き状態にある上記第１端末をページングし、上記第１端末とのコネクションを確立し、上記全部又は一部のホームセルの情報を上記コネクションを介して送信する。又は、ネットワーク側は、上記第１端末のセルの切替又は再選択の発生を待ち、上記第１端末のセルの切替又は再選択発生時に、上記全部又は一部のホームセルの情報を、上記第１端末が現在確立しているコネクションを介して送信する。
【００７０】
３）空き状態にある上記第１端末は、更に排列の前後順に従って、ネットワーク側から送信された上記全部又は一部のホームセルのうち、排列が前にあるものに対して、セルの検索と測定を優先的に行い、測定結果に基づいてセルの再選択を行う。上記第１端末がコネクション状態にあり且つセルの切替が必要の場合、上記第１マクロ基地局は、更に排列の前後順に従って、上記第１マクロセルの隣接ホームセルのうち、排列が前にあるものに対して、優先的に測定し、測定結果に基づいてセルの切替を実行するように上記端末を制御する。
【００７１】
本実施例において、上記セル検索、再選択及び切替プロセスを実行するように上記第１端末を制御するのに際して、更に次のように行なわれる。
【００７２】
セルの再選択について、上記第１マクロ基地局は、更に、上記第１端末の移動速度が所定の第１閾値より高いと上記第１端末の移動性状態により示される場合、上記全部又は一部のホームセルの情報を送信するとき、更に、上記第１マクロセルの隣接マクロセルの情報を上記第１端末に送信する。上記第１マクロセルの隣接マクロセルは、上記全部又は一部のホームセルの前に排列されている。上記第１端末は、排列の前後順に従って、ネットワーク側から送信された上記第１マクロセルの隣接マクロセルの情報及び上記全部又は一部のホームセルのうち、排列が前にあるものに対して、更にセルの検索と測定を優先的に行い、測定結果に基づいてセルの再選択を行う。
【００７３】
セルの切替について、上記第１マクロ基地局は、更に、上記第１端末の移動速度が所定の第１閾値より高いと上記第１端末の移動性状態により示され、且つ上記第１端末がコネクション状態にあり且つセルの切替が必要の場合、排列の前後順に従って、上記第１マクロセルの隣接マクロセル及び隣接ホームセルのうち、排列が前にあるものに対して、優先的に測定し、測定結果に基づいてセルの切替を実行するように上記端末を制御する。上記第１マクロセルの隣接マクロセルは、上記第１マクロセルの隣接ホームセルの前に排列される。
【００７４】
上記の排列方式を分かりやすくするために、更に図４を参照しながら説明する。第１端末がマクロセル１のカバーレッジに進入したとすると、第１端末が所属するＣＳＧは、ＣＳＧ１であり、マクロセル１の隣接ホームセル１〜９の切替優先度がそれぞれ逓減し、即ちホームセル１の切替優先度が最も高く、ホームセル９の切替優先度が最も低い。各ホームセルが所属するＣＳＧ及び稼動方式は、図４に示すとおりである。上記排列方式でホームセル１〜９を排列する。
【００７５】
まず、ＣＳＧ１のホームセル、オープン／ハイブリッドモードの非ＣＳＧ１のホームセル、クローズドモードの非ＣＳＧ１のホームセル別で、ホームセル１〜９を３組に分ける。
【００７６】
第１組は、ＣＳＧ１のホームセルであり、ホームセル３、７、８を含む。
【００７７】
第２組は、オープン／ハイブリッドモードの非ＣＳＧ１のホームセルであり、ホームセル５、６、９を含む。
【００７８】
第３組は、クローズドモードの非ＣＳＧ１のホームセルであり、ホームセル１、２、４を含む。
【００７９】
それから、各組において、切替優先度の高い順で排列する。ホームセル１〜９の切替優先度がそれぞれ逓減するため、最終的な排列結果は、次のようになる。
ホームセル３、７、８、５、６、９、１、２、４
【００８０】
第１マクロセルの隣接ホームセルの排列が完成すると、ネットワーク側（例えば第１マクロ基地局）は、上記第１マクロセルの隣接ホームセルの全部又は一部のホームセルの情報を、エアインタフェース資源情況及び／又は上記第１端末の隣接セルポリシ配置に基づいて、上記第１端末に送信する。上記一部のホームセルは、排列された上記第１マクロセルの隣接ホームセルから前後順で選択されたものである。例えば、エアインタフェース資源に余裕がない場合、一部のホームセルの情報を送信することができる。逆に、エアインタフェース資源に余裕がある場合、すべてのホームセルの情報を送信することができる。例えば、所定数の隣接セル情報を受信可能と第１端末の隣接セルポリシー配置により示される場合、対応する数のホームセルの情報を送信する。
【００８１】
本実施例において、第１端末は、空き状態にあるとき、ネットワーク側配信された上記全部又は一部のホームセルの情報に基づいて、セルの検索と測定を行い、測定結果に基づいてセルの再選択を行うことができる。従来技術におけるセル検索について、ＬＴＥ及びＬＴＥ‐Ａは、自律検索（autonomous  search）を行うように端末をサポートし、それによってＵＥの能力を高めるが、セル検索及びその測定上の低効率をもたらしている。本実施例において、適切なホームセルの情報を提供し、ＵＥがこれに基づいて検索を行うことで、検索の効率を向上することができる。
【００８２】
本実施例において、上記第１端末がコネクション状態にあり且つセルの切替が必要のとき、上記第１端末の現在のサービスセルは、更に、上記第１マクロセルの隣接ホームセルのうち排列が前にあるホームセルを優先的に測定するように上記端末を制御し、測定結果に基づいてセルの再選択を行う。また、本実施例において上記セルの切替実行中に、現在のサービスセルは、更に、ネットワーク側から送信された上記全部又は一部のホームセルの情報に含まれるターゲットホームセルの情報により、セルの切替を実行する。上記ターゲットホームセルの情報は、少なくともＣＳＧ  ＩＤ及びアクセスモードを含む。切替前に現在のサービスセル又はネットワークノードにターゲットホームセルの情報が格納されているため、現在のサービスセルは、切替発生後にシグナリングを介して再びターゲットホームセル対応の基地局から取得する必要がないので、本実施例によれば、切替時間を短縮できる。
【００８３】
＜実施例５＞
本実施例は、セルの再選択と切替プロセスをそれぞれ最適化するために、実施例４を基に更に端末の移動性状態を考慮し、そのうえ空き状態にあるＵＥに対して隣接セルの情報を如何に配信するか、又はコネクション状態にあるＵＥの測定対象を如何に制御するかを決定する。
【００８４】
空き状態にある第１端末について、第１マクロセルのカバーレッジに進入した後、ネットワーク側（例えば第１マクロ基地局）は、更に上記第１端末の移動性状態を判断する。上記第１端末の移動性状態により、上記第１端末の移動速度が所定の第１閾値より高いと示される場合、上記全部又は一部のホームセルの情報を送信するとき、更に上記第１マクロセルの隣接マクロセルの情報を上記第１端末に送信する。上記第１マクロセルの隣接マクロセルは、上記全部又は一部のホームセルの前に排列されている。上記第１端末は、更に排列の前後順に従って、ネットワーク側から送信された上記第１マクロセルの隣接マクロセルの情報及び上記全部又は一部のホームセルのうち、排列が前にあるセルに対して、セルの検索と測定を優先的に行い、測定の結果に基づいてセルの再選択を行う。例えば、上記所定の第１閾値が高速移動状態に対応する場合、本実施例において、端末が高速移動中にマクロセル情報を優先的に送信して、端末をマクロセルに優先的に滞留させる。一方、端末が低速又は中速移動状態にある場合、上記全部又は一部のホームセルの情報を直接に送信し、即ちホームセル情報を優先的に送信する。送信プロセスは、実施例４における方法に従う。
【００８５】
コネクション状態にある第１端末について、第１マクロセルのカバーレッジに進入した後、ネットワーク側（例えば第１マクロ基地局）は、更に上記第１端末の移動性状態を判断する。上記第１端末の移動性状態により、上記第１端末の移動速度が所定の第１閾値より高いと示され、且つ上記第１端末がコネクション状態にありセルの切替が必要である場合、排列の前後順に従って、上記第１マクロセルの隣接マクロセル及び隣接ホームセルのうち排列の前後順で排列が前にあるセルに対して、優先的に測定し、測定の結果に基づいてセルの切替を実行するように上記端末を制御する。上記第１マクロセルの隣接マクロセルは、上記第１マクロセルの隣接ホームセルの前に排列されている。こうして、端末が高速移動中の場合、本実施例において、セルの切替が頻繁に発生することを避けるために、ホームセルではなく、マクロセルに優先的に切り替えるように端末を制御することができる。
【００８６】
本実施例において、第１端末の移動状態を確定するときに、ホームセルのカバーレッジが通常マクロ基地局のカバーレッジより小さいことが考慮される。従って、端末の現在の移動状態をより確実に反映できるように、本実施例において、下記方式で第１端末の移動状態を確定することは好ましい。
【００８７】
ネットワーク側は、上記第１端末が所定の第２時間内に発生したセル再選択と切替の回数を統計する。
【００８８】
上記第１端末が上記所定の第２時間内に発生したマクロセルとホームセル間のセル再選択と切替の回数と、ホームセル間のセル再選択と切替の回数との和に、所定のウェイト（０＜ウェイト＜１）を乗じた積を取得する。実際の応用において、該ウェイトの値は、ホームセルとマクロセルのカバーレッジの比率に応じて設定されることができる。
【００８９】
上記第１端末が上記所定の第２時間内に発生したマクロセル間のセル再選択と切替の回数に上記積を加算した和を取得する。
【００９０】
上記和の値と複数の所定閾値との間の大きさに基づいて、上記第１端末の移動性状態を確定する。
【００９１】
例えば、上記和が所定の第１閾値以上の場合、上記第１端末の移動性状態は、高速移動状態と判断する。
【００９２】
上記和が所定の第２閾値以下の場合、上記第１端末の移動性状態は、通常速度移動状態と判断する。
【００９３】
上記和が上記所定の第２閾値より大きく且つ上記所定の第１閾値より小さい場合、上記第１端末の移動性状態は、中速移動状態と判断する。
【００９４】
ここで、上記所定の第１閾値は、所定の第２閾値より大きい。
【００９５】
＜実施例６＞
上記各実施例に基づき、本実施例は、上記実施例に記載された方法を実施するための対応な設備を提供する。
【００９６】
図５に示すように、本実施例は、無線通信ネットワークにおいて移動性管理をサポートするためのネットワークノードを提供する。
【００９７】
該ネットワークノードは、マクロセルのカバーレッジ内のホームセルを含むマクロセルの隣接ホームセルの情報と、ホームセルの隣接ホームセルの情報と含む、予め構築された隣接関係情報テーブルにおける任意一つのセルの隣接ホームセルの各々の切替優先度を、セル再選択と切替の統計情報に基づいて保守する切替優先度保守ユニットと、上記切替優先度と端末が所属するＣＳＧの情報とに基づいて、セル検索、再選択及び切替プロセスを実行するように上記端末を制御する最適処理ユニットと、を備える。
【００９８】
ここで、上記切替優先度保守ユニットは、所定の第１時間内における、上記任意一つのセルから上記隣接ホームセルの各々への切替と再選択に成功した回数を判断し、上記回数に基づいて、上記回数の多い隣接ホームセルの切替優先度が、上記回数の少ない隣接ホームセルの切替優先度より高くなるように、上記隣接ホームセルの各々の切替優先度を設定する。
【００９９】
上記切替優先度保守ユニットは、更に、所定の第１時間内における、上記任意一つのセルから上記隣接ホームセルの各々への切替の失敗があったかを判断し、失敗があった場合、上記隣接ホームセルの各々の切替優先度を、所定のポリシーに従って下げる。
【０１００】
好ましくは、上記ネットワークノードにおいて、ホーム基地局から報告された該ホーム基地局対応のホームセルの情報、該ホーム基地局の隣接ホームセルの情報及び該ホーム基地局が所在するマクロセルの情報を受信し、各ホーム基地局から報告された該ホーム基地局対応のホームセルの情報、該ホーム基地局の隣接ホームセルの情報及び該ホーム基地局が所在するマクロセルの情報に基づいて、隣接関係情報テーブルを構築し保守する隣接関係保守ユニットを備える。
【０１０１】
ここで、上記の該ホーム基地局対応のホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含み、上記の該ホーム基地局の隣接ホームセルの情報は、ＰＣＩ、Ｅ‐ＣＧＩ、周波数点情報及びＴＡＩのうちの一部又はすべてを含み、上記の該ホーム基地局が所在するマクロセルの情報は、ＰＣＩ、Ｅ‐ＣＧＩ、周波数点情報及びＴＡＩのうちの一部又はすべてを含み、上記マクロセルの隣接ホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含み、上記ホームセルの隣接ホームセルの情報は、ＰＣＩ、Ｅ‐ＣＧＩ、ＣＳＧ−ＩＤ、アクセスモード、ＨｅＮＢ  ＩＤ及びＴＡＩのうちの一部又はすべてを含む。
【０１０２】
好ましくは、上記ネットワークノードにおいて、上記最適処理ユニットは、各隣接ホームセルが切替優先度の高い順で排列された上記ＣＳＧのホームセル、オープン／ハイブリッドモードの非上記ＣＳＧホームセル、及びクローズドモードの非上記ＣＳＧホームセルの前後順に従って、上記端末が現在所在する第１セルの隣接ホームセルを排列し、上記第１セルの隣接ホームセルのうち排列が前にあるセルに対して、上記セル検索、再選択及び切替プロセスを優先的に実行するように上記端末を制御する。
【０１０３】
好ましくは、上記最適処理ユニットは、上記端末の移動速度が所定の第１閾値より高いと上記端末の移動性状態により示される場合、排列の前後順に従って、上記第１セルの隣接マクロセルが上記第１セルの隣接ホームセルの前に排列する上記第１セルの隣接セルのうち、排列が前にあるセルに対して、上記セル検索、再選択及び切替プロセスを、優先的に実行するように上記端末を制御する。
【０１０４】
好ましくは、上記ネットワークノードにおいて、上記端末が所定の第２時間内に発生したセル再選択と切替の回数を統計し、上記端末が上記所定の第２時間内に発生したマクロセルとホームセル間のセル再選択と切替の回数と、ホームセル間のセル再選択/切替の回数との和に、所定のウェイト（０＜ウェイト＜１）を乗じた積を取得し、上記端末が上記所定の第２時間内に発生したマクロセル間のセル再選択と切替の回数に上記積を加算した和を取得し、上記和と複数の所定閾値との間の大きさに基づいて、上記端末の移動性状態を確定する移動性状態保守ユニットを更に備える。
【０１０５】
第１端末が上記第１ホームセルのカバーレッジに進入した後、上記第１ホームセルの隣接ホームセル及び上記第１ホームセルに対応する第１ホーム基地局が所在するマクロセルを含む第１ホームセルの隣接セルの情報を、上記ネットワークノードが上記隣接関係情報テーブルから選択し、上記第１ホームセルの隣接セルの情報及び上記第１ホームセルの隣接セルの切替優先度の情報を、第１ホーム基地局に送信し、上記第１マクロセルの隣接ホームセルを含む第１マクロセルの隣接セルの情報を、上記隣接関係情報テーブルから選択し、上記第１マクロセルの隣接セルの情報を、上記第１マクロセルに対応する第１マクロ基地局に送信し、及び／又は、上記第１ホームセルの隣接ホームセル及び上記第１ホーム基地局が所在するマクロセルを含む第１ホームセルの隣接セルの情報を、上記隣接関係情報テーブルから選択し、上記第１ホームセルの隣接セルの情報を、上記第１ホームセルに対応する第１ホーム基地局に送信する第１配信ユニットとを更に備える。
【０１０６】
第１端末が上記第１マクロセルのカバーレッジに進入した後、上記第１マクロセルの隣接ホームセルを含む第１マクロセルの隣接セルの情報を、上記ネットワークノードが上記隣接関係情報テーブルから選択し、上記第１マクロセルの隣接セルの情報及び上記第１マクロセルの隣接セルの切替優先度の情報を、上記第１マクロセルに対応する第１マクロ基地局に送信する第２配信ユニットを更に備える。
【０１０７】
上記記載をまとめると、本発明の実施例による無線通信ネットワークにおいて移動性管理をサポートするための方法及び設備は、ホーム基地局の移動性管理を提供して、セル検索と測定の効率を向上すると共に、セル再選択と切替の時間を短縮することができる。
【０１０８】
本発明の実施例による無線通信ネットワークにおいて移動性管理をサポートするための方法及び設備は、明細書と実施形態に列挙されている運用に限ることなく、本発明の適合する様々な分野に完全に適用することができる。本分野を熟知している者にとって、その他のメリットの実現や修正の実行は、容易である。したがって、特許請求の範囲及びその同等範囲に限定されている一般的な概念の趣旨や範囲を背離しない前提で、本発明は、特定な細部、代表的な設備及びここで示されて記載されている図面を用いた例示に限られない。
【図１】
0005638911.tif 000002
【図２】
0005638911.tif 000003
【図３】
0005638911.tif 000004
【図４】
0005638911.tif 000005
【図５】
0005638911.tif 000006